(57)【要約】【課題】  本発明は、簡易な構造であり低コストで、多色発光の装飾を発揮することができるキャンドル、及び該キャンドルを照射する照射構造を提供する。【解決手段】  キャンドル１は、紫外線が照射されることによって多色発光する発光部２を備えてなる。また、照射構造は、キャンドル１に設けられ、紫外線が照射されることによって多色発光する発光部２と、キャンドル１に形成される中空部１３と、該中空部１３内に配置され、紫外線を前記発光部２に照射する紫外線照射部３とを備えてなる。【選択図】図１
2013001726.tif 000002
【特許請求の範囲】
【請求項１】
紫外線が照射されることによって多色発光する発光部を備えることを特徴とするキャンドル。
【請求項２】
キャンドルに設けられ、紫外線が照射されることによって多色発光する発光部と、キャンドルに形成される中空部と、該中空部内に配置され、紫外線を前記発光部に照射する紫外線照射部とを備えてなることを特徴とする照射構造。
【発明の詳細な説明】
【技術分野】
【０００１】
本発明は、光装飾性を有するキャンドル、及び該キャンドルに対して光を照射する照射構造に関する。
【背景技術】
【０００２】
従来、キャンドルに光の装飾性を付与するための照射構造として、キャンドルの内部に形成された投光空間凹部と、一又は複数の光源を有して前記凹部内に配置される発光ユニットと、該発光ユニット及び前記凹部の間に配置され、光透過性のある所要の文字等が形成されてなる光透過性フィルムとを備える、キャンドルに対して光を照射する照射構造（以下、キャンドル照射構造という）が知られている（特許文献１）。
【０００３】
該キャンドル照射構造では、発光ユニットの光源から光を光透過性フィルムに向けて照射して光透過性フィルムの文字等の部分に光を透過させることによって、キャンドルの表面において、前記所要の文字等を光で表現（発光）させて装飾効果を発揮することを可能にしている。
【先行技術文献】
【特許文献】
【０００４】
【特許文献１】実用新案登録第３０９７４５５号公報
【発明の概要】
【発明が解決しようとする課題】
【０００５】
しかしながら、上記従来のキャンドル照射構造では、発光ユニットが一の光源を備えて構成される場合、光透過性フィルムの文字等の部分を透過する光は、前記一の光源による一色の光であるから、キャンドルの表面には、前記所要の文字等が単色発光されるだけであり、光の装飾性に乏しい。
【０００６】
そこで、上記従来のキャンドル照射構造では、光源を、互いに異なる色の光を出す複数の光源とし、これらの光源からの光で前記所要の文字等を多色発光させて、よりカラフルな光の装飾を得ることができるようにしている。
【０００７】
しかし、この場合、多種類の光源を多数用意しなければならず、しかも、それらの光源を、前記所要の文字等に対して各光源からの光が各々適切な範囲で照射されるように適切に設置しなければならない。従って、キャンドルに多色発光の装飾を付与する場合には、構造が複雑となってコストが増加するという問題があった。
【０００８】
そこで、本発明は、上記問題に鑑みてなされたもので、簡易な構造であり低コストで、多色発光の装飾を発揮することができるキャンドル、及び該キャンドルを照射する照射構造を提供することを課題とする。
【課題を解決するための手段】
【０００９】
本発明に係るキャンドルは、上記課題を解決するためになされたもので、紫外線が照射されることによって多色発光する発光部を備えることを特徴とする。
【００１０】
かかるキャンドルにあっては、紫外線が照射されることによって多色発光する発光部を備えているため、該発光部に対して紫外線を照射することによって、発光部から多色発光がなされてカラフルな装飾を発揮することができる。
【００１１】
また、本発明に係る照射構造は、キャンドルに設けられ、紫外線が照射されることによって多色発光する発光部と、キャンドルに形成される中空部と、該中空部内に配置され、紫外線を前記発光部に照射する紫外線照射部とを備えてなることを特徴とする。
【００１２】
かかる照射構造にあっては、紫外線が照射されることによって多色発光する発光部がキャンドルに設けられ、キャンドルに形成される中空部内に紫外線照射部が配置されているため、当該紫外線照射部を用いて、中空部内から発光部に対して紫外線を照射することによって、該紫外線が照射された発光部から多色発光がなされてカラフルな装飾を発揮することができる。
【発明の効果】
【００１３】
以上のように、本発明に係るキャンドルによれば、紫外線が照射されることによって多色発光する発光部を備えることを特徴としているため、簡易な構造であり低コストで、多色発光の装飾を発揮することができる。
【００１４】
また、本発明に係る照射構造によれば、キャンドルに設けられ、紫外線が照射されることによって多色発光する発光部に対して、キャンドルに形成される中空部内に配置される紫外線照射部から紫外線を照射することを特徴としているため、簡易な構造であり低コストで、多色発光の装飾を発揮することができる。
【図面の簡単な説明】
【００１５】
【図１】本発明に係るキャンドル、及び、該キャンドルを照射する照射構造の一実施形態を示す図であって、（ａ）は概略断面図であり、（ｂ）は概略外形図であり、（ｃ）は（ａ）のＡ−Ａ線断面図を示す。
【図２】他実施形態に係るキャンドルの正面図であって、（ａ）は卵型形状のキャンドルの正面図であり、（ｂ）は球型形状のキャンドルの正面図を示す。
【図３】他実施形態に係るキャンドルの正面図であって、（ａ）は円錐型形状のキャンドルの正面図であり、（ｂ）は三角錐型形状のキャンドルの正面図であり、（ｃ）は四角錐型形状のキャンドルの正面図を示す。
【図４】他実施形態に係るキャンドルの正面図であって、（ａ）はテーパ型形状のキャンドルの正面図、（ｂ）はスパイラル型形状のキャンドルの正面図を示す。
【図５】本発明に係る照射構造を応用した参考例である団扇の正面図を示す。
【図６】本発明に係る照射構造を応用した参考例である花の正面図を示す。
【発明を実施するための形態】
【００１６】
以下、本発明に係るキャンドル、及び、該キャンドルを照射する照射構造の一実施形態について、図面を参酌しつつ説明する。
【００１７】
本実施形態に係るキャンドルは、図１に示すように、本体１と、紫外線が照射されることによって多色発光する発光部２とからなる。
【００１８】
キャンドルの本体１は、蝋からなるロウ体１１と点火可能に構成される芯１２とを有する。ロウ体１１は、中心軸線ａが直線状で、外径が一定の円柱状をなし、内部に中空部１３が形成されてなる。
【００１９】
中空部１３は、キャンドルのロウ体１１に形成される孔である。本実施形態では、中空部１３は、ロウ体１１の下面から長手方向に沿って上面にまでは至らない位置まで形成され、ロウ体１１の外径よりも小径の円柱状空間（即ち、中心軸線ｂが直線状で、内径が一定の空間）である。換言すると、ロウ体１１は、中空部１３が形成されている長手方向途中部分から下端部に至るまでは円筒形状であり、中空部１３より上側の上端部が円柱形状であり、要するに、筒状の上面が閉塞され、下面が開口したような形状となっている。また、本体１と中空部１３の中心軸線ａ，ｂとは一致している。
【００２０】
また、本体１には、紫外線が本体１に対して照射された際に、本体１自体の発色を抑制する発色抑制手段が施されている。本実施形態では、発色抑制手段は、紫外線を吸収して青白い光に変える性質を有する蛍光増白剤がロウ体１１に対して用いられないことであって、即ち、本実施形態に係るロウ体１１は、発色蛍光増白剤を含まない蝋（ろう）が固化したものである。
【００２１】
芯１２は、火が付けられるように構成され、ロウ体１１の上面から突出するように該ロウ体１１に埋設されている。本実施形態では、芯１２は、例えば綿子やイグサ等からなる紐状体であり、上端部がロウ体１１の上面中央部から、長手方向外側に向かって突出するように、芯１２の上端部より下側の部分がロウ体１１内に埋設されている。
【００２２】
キャンドルの発光部２は、紫外線が照射されることによって多色発光可能に構成される発光手段と、キャンドル本体１に取付可能に構成される取付手段とを有してなる。
【００２３】
発光手段は、紫外線が照射されることによって、該紫外線を吸収して種々な色の可視光を発光するインク層である。このインク層を形成するための塗料は、紫外線を吸収すると所定の色の可視光を発光する塗料であり、インク層が多色発光となるように複数種類用いられる。取付手段は、例えばキャンドル本体１に接着可能な接着剤である。
【００２４】
本実施形態に係る発光部２は、シールであり、透明な合成樹脂フィルムであるシール基材と、該シール基材の表面に形成され、紫外線の照射によって多色発光する発光手段としての所要の文字『２０１０  Ｃｏｎｇｒａｔｕｌａｔｉｏｎｓ  ｇｒａｄｕａｔｉｏｎ』と、シール基材の裏面に設けられる取付手段としての接着剤層とを備える。発光手段としての前記所要の文字は、例えば、図１（ｂ）において、『２０１０』の部分が紫外線照射によって青色発光し、『Ｃｏｎｇｒａｔｕｌａｔｉｏｎｓ』の部分が紫外線照射によって赤色発光し、『ｇｒａｄｕａｔｉｏｎ』の部分が紫外線照射によって黄色発光するように、塗料が使い分けられて構成される。このような発光部２は、裏面側の接着剤層をキャンドル本体１（ロウ体１１）の外側面に貼り付けて取付けられている。
【００２５】
また、本実施形態に係る照射構造は、前記キャンドルを照射する構造であって、図１に示すように、前記キャンドルの本体１に設けられ、紫外線が照射されることによって多色発光する前記発光部２と、前記キャンドルに形成される前記中空部１３と、該中空部１３内に配置され、紫外線を前記発光部２に照射する紫外線照射部３と、該紫外線照射部３を支持する支持部４と、紫外線照射部３を操作する操作手段５と、キャンドル台６とを備えて構成される。
【００２６】
紫外線照射部３は、紫外線を発光部２に対して照射するように構成される。本実施形態では、紫外線照射部３は、紫外線を出す光源３１と、該光源３１を機能させるべく、光源３１に送電するための電源３２と、前記光源３１及び電源３２を接続するリード線７とからなる。
【００２７】
光源３１は、紫外線を放つＬＥＤであり、例えば、円柱体で、先端がドーム状に形成されてなる筐体と、該筐体の内部に収納される半導体素子と、前記筐体の下面から延出される陰極と陽極の端子とからなる。光源３１は、陰極に対し陽極に正電圧を加えることによって、半導体素子から紫外線を照射するように構成されている。
【００２８】
電源３２は、光源３１に送電可能な電池と、該電池を収納する電池ボックスとからなる。電源３２は、光源３１（端子）と電源３２とを電気的に接続するリード線７を介して、光源３１に送電するように構成される。
【００２９】
支持部４は、紫外線照射部３によってキャンドルの発光部２が照射されるように、紫外線照射部３を支持して、該紫外線照射部３を発光部２に対して位置決めをするように構成される。本実施形態では、支持部４は、中空の四角柱の形状をなし、各側面において、光源３１を発光部２に対して位置決めしている。具体的には、支持部４は、各側面から外向きに紫外線が照射されるように光源３１を支持しており、本実施形態では、各側面において長手方向に沿って所定の間隔で四つの光源３１が配置されている。また、支持部４は、光源３１に接続されるリード線７を内部（中空）に収納している。
【００３０】
尚、複数の光源３１（ＬＥＤ）による発光部２への照射は、均一な照射であることが好ましく、例えば、各光源３１の照射範囲が発光部２において一部オーバーラップするように、支持部４を用いて紫外線照射部３を発光部２に対して位置決めする。
【００３１】
操作手段５は、紫外線照射部３からの紫外線の照射を操作可能に構成される。本実施形態では、操作手段５は紫外線照射部３からの紫外線の照射を操作するために、電源３２を制御する（即ち電源３２から光源３１に送られる電流を調整する）ように構成される。具体的には、操作手段５は、電源３２から光源３１への送電制御に関して、例えば、電源３２のオン／オフの切り替え制御（送電量がゼロの状態又は一の所定量の状態となるように、送電量を切り替える制御）や、送電量の調整制御（送電量がゼロの状態又は複数の所定量の状態となるように、送電量を段階的に切り替える制御）を選択して行うためのコントローラ（例えば、所定のボタンが設けられたコントローラであって、遠隔操作可能なリモートコントローラなど）である。
【００３２】
キャンドル台６は、キャンドル本体１及び支持部４を載置可能に構成される。本実施形態では、キャンドル台６は、グラス６１と、グラス６１内に配置された平板６２とからなる。
【００３３】
グラス６１は、透明なカクテルグラス状をなし、自立して立つことができる足部６１ａと、該足部６１ａの上端に設けられ、上方に向かって拡径する断面略円形状の器部６１ｂとを有してなる。尚、器部６１ｂの下部には、紫外線照射部３のリード線７用の穿孔が設けられている。
【００３４】
平板６２は、円盤状の扁平な薄板であり、グラス６１の器部６１ｂの途中部分に水平に嵌入されている。そして、該平板６２の上面中央部に、支持部４とキャンドル本体１とが載置されている。具体的には、支持部４は、平板６２の上面中央部に立設固定されており、キャンドル本体１は、支持部４及び該支持部４に設けられた光源３１（即ち、紫外線照射部３の一部）が中空部１３内に配置されるように平板６２上面に立設固定されている。
【００３５】
次に、以上のような構成からなる本実施形態に係るキャンドル、及び、該キャンドルを照射する照射構造の動作について説明する。
【００３６】
操作手段５が操作（例えば、所定のボタンが押下）されると、電源３２から光源３１に電流が送られる。そして、送電された光源３１からは、紫外線が照射される。該紫外線は、キャンドルの中空部１３から本体１（ロウ体１１）を透過して、本体１（ロウ体１１）の外側面に設けられた発光部２に至り、発光部２の発光手段は、ロウ体１１の内部から透過してきた紫外線を吸収して多色発光をする。具体的には、『２０１０  Ｃｏｎｇｒａｔｕｌａｔｉｏｎｓ  ｇｒａｄｕａｔｉｏｎ』からなる文字のうち、『２０１０』の部分が青色発光、『Ｃｏｎｇｒａｔｕｌａｔｉｏｎｓ』の部分が赤色発光、『ｇｒａｄｕａｔｉｏｎ』の部分が黄色発光する。
【００３７】
以上のように、本実施形態に係るキャンドルによれば、紫外線が照射されることによって多色発光する発光部２を備えているため、該発光部２に対して紫外線を照射することによって、発光部２の発光手段である所要の文字が多色発光してカラフルな光の装飾を発揮することができる。
【００３８】
また、キャンドルには発色抑制手段が施されている、即ち、ロウ体１１は蛍光増白剤を含まないため、中空部１３内に配置された紫外線照射部３から本体１外表面の発光部２に対して紫外線が照射される際、照射された紫外線がロウ体１１によって吸収されるのを抑制することができ、紫外線が発光部２に確実に照射される。また、ロウ体１１の紫外線吸収を抑制することで、ロウ体１１自体が青白く発光することを抑制することができ、発光部２からの多色発光を際立たせることができる。
【００３９】
また、発光部２は、取付手段を有するため、キャンドル本体１に容易に取付けることができる。
【００４０】
また、キャンドルは、中空部１３を有するため、中空部１３内に紫外線照射部３を配置することができ、従って、中空部１３内から発光部２に対して紫外線の照射をすることができると共に、キャンドルの外部に紫外線照射部３を配置する場所を要さず、照射構造のコンパクト化を図ることができる。また、中空部１３内に紫外線照射部３を配置することで、光源３１を発光部２に近づけて配置することができ、鮮明に発光部２を発光させることができる。また、紫外線照射部３を外部に見せないため、照射構造のデザイン性も向上できる。
【００４１】
また、本実施形態に係る照射構造によれば、紫外線が照射されることによって多色発光する発光部２がキャンドルに設けられ、キャンドルに形成される中空部１３内に紫外線照射部３が配置されているため、当該紫外線照射部３を用いて、中空部１３内から発光部２に対して紫外線を照射することによって、該紫外線が照射された発光部２の発光手段である所要の文字が多色発光してカラフルな装飾を発揮することができる。
【００４２】
また、照射構造は、紫外線照射部３が支持される支持部４を有しているため、紫外線照射部３を発光部２に対して適切に位置決めすることができ、紫外線照射部３からの紫外線を発光部２に対して適切に照射することができる。
【００４３】
また、支持部４は、四角柱の形状からなり、四つの各側面に、四つの紫外線照射部３が所定間隔で設けられているため、紫外線照射部３からの紫外線を広範囲に亘って照射することができる。
【００４４】
また、照射構造は、紫外線照射部３からの紫外線照射を操作する操作手段５を有しているため、紫外線照射部３から紫外線を発光部２に照射させる操作を容易に行うことができる。また、操作手段５は、電源３２から光源３１への送電量を調整できるように構成されているため、光源３１の強度を調整、即ち、発光部２に照射される紫外線量を調整することによって、発光部２からの多色発光の強度を変更することができる。
【００４５】
尚、本発明に係るキャンドル、及び、該キャンドルを照射する照射構造は、上記実施形態に限定されるものではなく、本発明の要旨を逸脱しない範囲で種々の変更が可能である。
【００４６】
例えば、本実施形態では、ロウ体１１の形状が円柱形状である場合について説明したが、これに限らず、ロウ体の形状は、三角柱や四角柱などの多角柱形状とすることも可能である。
【００４７】
また、ロウ体１１の形状は、角を有さない丸みを帯びた形状をなすようにしても好い。この場合、キャンドルは、ロウ体１１の形状が、例えば、垂直方向の断面が略楕円形状の卵型形状（図２（ａ）参照）、又は、垂直方向の断面が略円形状の球型形状（図２（ｂ）参照）となるように構成することができる。
【００４８】
更に、ロウ体１１の形状は錐体となるように構成することもできる。この場合、ロウ体１１の形状が、例えば、円錐型形状（図３（ａ）参照）、三角錐型形状（図３（ｂ）参照）、四角錐型形状（図３（ｃ）参照）となるように構成することが可能である。
【００４９】
或いは、ロウ体１１は、先端にかけて先細りするテーパ型形状（図４（ａ）参照）、先端側が螺旋形状をなすスパイラル型形状（図４（ｂ）参照）とすることも可能である。
【００５０】
また、本実施形態では、ロウ体１１に蛍光増白剤を含まない場合について説明したが、これに限らず、照射される紫外線の全てが本体によって遮断されない程度（即ち、照射される紫外線の少なくとも一部が本体を透過する程度）に蛍光増白剤を含んでいてもよい。或いは、ロウ体１１に発光抑制手段１３を施さなくてもよい。
【００５１】
また、本実施形態では、発光部２の発光手段が所要の文字である場合について説明したが、これに限らず、発光手段は、図形や記号、イラスト、或いはこれらの組合せとすることも可能である。
【００５２】
また、本実施形態では、発光部２は、本体１の外側面に設けられる場合について説明したが、これに限らず、発光部は、本体の上面（芯が突出する中央部を除く）に設けられてもよい。また、中空部１３内に設けることも可能である。
【００５３】
また、本実施形態では、紫外線照射部３は、その一部である光源３１がキャンドルの中空部１３に配置される場合について説明したが、これに限らず、紫外線照射部３の全て、即ち、光源３１と電源３２とリード線７とがキャンドルの中空部１３内に配置されてもよい。
【００５４】
また、本実施形態では、紫外線照射部３は、光源３１と電源３２とリード線７とからなる場合について説明したが、これに限らず、紫外線照射部は、例えば支持部４に電源を内蔵した場合のように、リード線を省略して光源と電源とを一体化した構成を採用することも可能である。
【００５５】
また、本実施形態では、支持部４は、中空の四角柱の形状からなる場合について説明したが、これに限らず、支持部は、例えば円柱や錐体、或いは球体などの形状とすることが可能である。
【００５６】
また、支持部４は、各側面において、紫外線照射部３が長手方向に沿って所定間隔で四つ配置される場合について説明したが、これに限らず、支持部は、紫外線照射部によって発光部２が照射されるような態様なら何でもよく、例えば各側面（全ての側面）に紫外線照射部を設けずとも、一側面だけに紫外線照射部を設けることも可能であり、また、一側面に設けられる紫外線照射部（光源）の数も、四つである必要はなく、例えば一つでもよいし、二つや三つ、或いは五つ以上であってもよい。
【００５７】
また、本実施形態では、操作手段５は、遠隔操作可能なリモートコントローラからなる場合について説明したが、これに限らず、操作手段は、例えば電源（例えば電池を収納する電池ボックス）に一体的に設けられ、電源をオン／オフに切り替えたり、電源から光源への送電量を多段階的に切り替えるスイッチとして構成されることも可能である。
【００５８】
また、本実施形態では、キャンドル台６は、グラス６１と平板６２とから構成される場合について説明したが、これに限らず、キャンドル台は、装飾用の台やテーブルとして構成されてもよい。
【００５９】
また、本実施形態では、照射構造は、支持部４と操作手段５とキャンドル台６とを備える場合について説明したが、これに限らず、照射構造は、支持部と操作手段とキャンドル台の少なくとも一つを備えて構成されることも可能であり、或いは、支持部と操作手段とキャンドル台とをいずれも備えないで構成されることも可能である。
【００６０】
次に、本発明に係る照射構造を、団扇や花（造花、生花）に応用した参考例について、図５，６を参酌して説明する。
【００６１】
まず、団扇について説明すると、かかる団扇は、図５に示すように、紫外線が照射されることによって多色発光する発光部８を有する扇部８１と、該扇部８１の基部８２から延設され、把持可能に構成される把持部８３と、前記扇部８１の基部８２側に設けられ、紫外線を発光部８に照射する紫外線照射部８４と、紫外線照射部８４からの紫外線照射を操作する操作手段８５とを備えてなる。
【００６２】
ここで、発光部８は、『Ｈａｐｐｙ  Ｂｉｒｔｈｄａｙ！！』の文字と、クラッカーの図形が紫外線の照射によって多色発光されるように構成されている。また、紫外線照射部８４は、発光部８に対して紫外線を出す光源８６と、該光源８６に電流を送るための電源８７と、前記光源８６及び電源８７を接続するリード線８８とからなり、操作手段８５は、電源８７から光源８６への送電を制御するように、電源８７をオン／オフに切り替えするスイッチからなる。
【００６３】
かかる団扇によれば、操作手段８５を用いて、紫外線照射部８４から発光部８に対して紫外線を照射させて、発光部８を多色発光させるため、簡易な構造であり低コストで、多色発光の装飾を発揮することができる。
【００６４】
次に、花について説明すると、かかる花は、図６に示すように、紫外線が照射されることによって単色又は多色発光する発光部９を有する花弁９１と、花弁９１の基部９２側が植設される茎部９３と、前記茎部９３に設けられ、紫外線を発光部９に照射する紫外線照射部９４とを備えてなる。
【００６５】
ここで、発光部９は、花弁９１全体が紫外線の照射によって単色又は多色発光されるように、或いは、花弁９１に形成された所要の文字等が紫外線の照射によって単色又は多色発光されるように構成されている。また、紫外線照射部９４は、発光部９に対して紫外線を出す光源９５と、該光源に電流を送るための電源９６とが一体的に構成されてなる。
【００６６】
かかる花によれば、紫外線照射部９４から発光部９に対して紫外線を照射させて、発光部９を多色発光させるため、簡易な構造であり低コストで、単色又は多色発光の装飾を発揮することができる。
【００６７】
尚、上記花は、茎部を有さず、発光部を有する花弁と紫外線照射部とから構成することも可能であり、この場合、例えば受け皿を用意して、該受け皿の底面に紫外線照射部を配置した状態で、花弁を受け皿に飾りつけ、紫外線照射部から花弁に対して紫外線を照射することによって、例えば当初白色であった花弁を赤色や青色、黄色等の単色、若しくは、虹色等の混色に発光させることができ、単色又は多色発光の装飾を発揮することができる。さらに、花弁に単色又は多色発光する所要の文字等を形成した場合には、該所要の文字等による単色又は多色発光の装飾を発揮することができる。
【００６８】
また、上記花は、紫外線照射部９４からの紫外線照射を操作する操作手段を備えて構成することもできる。また、上記花は、紫外線照射部９４が光源９５と電源９６とを接続するリード線を備えて構成されてもよい。
【符号の説明】
【００６９】
１…本体、２…発光部、３…紫外線照射部、４…支持部、５…操作手段、６…キャンドル台、７…リード線、１１…ロウ体、１２…芯、１３…中空部、３１…光源、３２…電源、６１…グラス、６１ａ…足部、６１ｂ…器部、６２…平板
【図１】
2013001726.tif 000003
【図２】
2013001726.tif 000004
【図３】
2013001726.tif 000005
【図４】
2013001726.tif 000006
【図５】
2013001726.tif 000007
【図６】
2013001726.tif 000008